(57)【要約】      （修正有）【課題】構造物の点検を支援する点検支援装置を提供する。【解決手段】構造物の点検を支援する点検支援装置２０が、構造物の図面が記憶される図面記憶部２７と、構造物の点検箇所が撮像された撮像画像と、点検箇所の評価結果と、図面上における点検箇所を示す位置情報とを対応付けた点検結果情報が記憶される点検結果情報記憶部２９と、点検対象である構造物の図面を図面記憶部２７から読み出し、読み出した図面を表示部２３に表示させる表示制御部３８と、表示部２３に表示された図面上における点検箇所を示す位置情報と、点検箇所が撮像された撮像画像と、点検箇所の評価結果との入力を受け付ける受付部３２と、受付部３２が受け付けた位置情報と撮像画像と評価結果とを対応付けた点検結果情報を、点検結果情報記憶部２９に記憶させる点検結果情報登録部３３と、を備える。【選択図】図１
2015225467.tif 000002
【特許請求の範囲】
【請求項１】
構造物の点検を支援する点検支援装置であって、
前記構造物の図面が記憶される図面記憶部と、
前記構造物の点検箇所が撮像された撮像画像と、当該点検箇所の評価結果と、前記図面上における前記点検箇所を示す位置情報とを対応付けた点検結果情報が記憶される点検結果情報記憶部と、
点検対象である前記構造物の図面を前記図面記憶部から読み出し、読み出した図面を表示部に表示させる表示制御部と、
前記表示部に表示された前記図面上における点検箇所を示す位置情報と、当該点検箇所が撮像された撮像画像と、当該点検箇所の評価結果との入力を受け付ける受付部と、
前記受付部が受け付けた位置情報と撮像画像と評価結果とを対応付けた点検結果情報を、前記点検結果情報記憶部に記憶させる点検結果情報登録部と、
を備えることを特徴とする点検支援装置。
【請求項２】
前記受付部は、タッチパネルである前記表示部に表示された前記図面上における点検箇所を示す位置に対するタッチ操作により前記位置情報の入力を受け付ける
ことを特徴とする請求項１に記載の点検支援装置。
【請求項３】
前記受付部は、
前記点検箇所を撮像した撮像部から、前記点検箇所が撮像された撮像画像を受け付ける
ことを特徴とする請求項１または請求項２に記載の点検支援装置。
【請求項４】
ネットワークを介して接続された点検管理サーバから、複数の前記構造物のリストを受信して前記表示部に表示させる構造物リスト取得部と、
前記表示部に表示された前記構造物のリストから選択された点検対象の構造物の図面を点検管理サーバから取得し、前記図面記憶部に記憶させる図面取得部と、
を備えることを特徴とする請求項１から請求項３までのいずれか１項に記載の点検支援装置。
【請求項５】
前記構造物のリストのうち、指定された検索条件に応じた構造物を検索する検索部を備え、
前記図面取得部は、前記検索部によって検索された構造物の図面を前記点検管理サーバから取得し、前記図面記憶部に記憶させる
ことを特徴とする請求項４に記載の点検支援装置。
【請求項６】
前記図面に対応する評価項目が記憶される評価項目記憶部を備え、
前記点検結果情報記憶部には、前記評価項目ごとに前記点検結果情報が記憶される
ことを特徴とする請求項１から請求項５までのいずれか１項に記載の点検支援装置。
【請求項７】
前記点検結果情報記憶部には、前記評価項目ごとに対応付けられた複数の図面ごとに、前記点検結果情報が記憶される
ことを特徴とする請求項６に記載の点検支援装置。
【請求項８】
前記表示制御部は、前記評価項目ごとに対応付けられた複数の図面ごとに、前記評価結果を対応付けて前記表示部に表示させる
ことを特徴とする請求項７に記載の点検支援装置。
【請求項９】
前記評価項目記憶部に記憶する前記評価項目の情報を書き換える制御部
を備え、
前記受付部は、
前記評価項目の数又は内容を変更する指示を受け付けて、
前記制御部は、
前記受付部が受け付けた指示に応じて、前記評価項目記憶部に記憶する前記評価項目の情報を書き換える
ことを特徴とする請求項６から請求項８までのいずれか１項に記載の点検支援装置。
【請求項１０】
前記表示制御部は、前記点検結果情報記憶部に記憶された前記点検結果情報を読み出し、前記表示部に表示させる
ことを特徴とする請求項１から請求項９までのいずれか１項に記載の点検支援装置。
【請求項１１】
予め定められたフォーマットにより点検結果を記録するためのテンプレートファイルが記憶されるテンプレートファイル記憶部と、
前記点検結果情報記憶部に記憶された前記点検結果情報を読み出し、前記テンプレートファイルに記録して点検結果ファイルを生成し、生成した点検結果ファイルを出力する点検結果ファイル生成部
を備えることを特徴とする請求項１から請求項１０までのいずれか１項に記載の点検支援装置。
【請求項１２】
前記点検結果情報登録部は、
前記点検結果情報記憶部に記憶されている前回の点検結果の情報を初期化する
ことを特徴とする請求項１から請求項１１までのいずれか１項に記載の点検支援装置。
【請求項１３】
前記点検結果情報登録部は、
前記点検結果情報記憶部に記憶されている前回の点検結果の情報を、今回の点検結果の初期情報として取り込む
ことを特徴とする請求項１から請求項１２までのいずれか１項に記載の点検支援装置。
【請求項１４】
点検対象である構造物の図面が記憶される図面記憶部と、前記構造物の点検箇所が撮像された撮像画像と、当該点検箇所の評価結果と、前記図面上における前記点検箇所を示す位置情報とを対応付けた点検結果情報が記憶される点検結果情報記憶部と、を備える点検支援装置の点検支援方法であって、
点検対象である前記構造物の図面を前記図面記憶部から読み出し、読み出した図面を表示部に表示させるステップと、
前記表示部に表示された前記図面上における点検箇所を示す位置情報と、当該点検箇所が撮像された撮像画像と、当該点検箇所の評価結果との入力を受け付けるステップと、
受け付けた位置情報と撮像画像と評価結果とを対応付けた点検結果情報を、前記点検結果情報記憶部に記憶させるステップと、
を実行することを特徴とする点検支援方法。
【請求項１５】
点検対象である構造物の図面が記憶される図面記憶部と、前記構造物の点検箇所が撮像された撮像画像と、当該点検箇所の評価結果と、前記図面上における前記点検箇所を示す位置情報とを対応付けた点検結果情報が記憶される点検結果情報記憶部と、を備える点検支援装置のコンピュータに、
点検対象である前記構造物の図面を前記図面記憶部から読み出し、読み出した図面を表示部に表示させるステップと、
前記表示部に表示された前記図面上における点検箇所を示す位置情報と、当該点検箇所が撮像された撮像画像と、当該点検箇所の評価結果との入力を受け付けるステップと、
受け付けた位置情報と撮像画像と評価結果とを対応付けた点検結果情報を、前記点検結果情報記憶部に記憶させるステップと、
を実行させる点検支援プログラム。
【発明の詳細な説明】
【技術分野】
【０００１】
本発明は、点検支援装置、点検支援方法、点検支援プログラムに関する。
【背景技術】
【０００２】
ビルのような建物等の構造物は、定期または不定期に劣化の度合いを点検する業務が行われている。このような業務は、例えば点検員が、点検対象である構造物の図面を含む野帳やカメラを持参して点検対象である構造物に赴き、野帳に点検結果を記録したり、カメラを用いて点検箇所を撮像したりすることにより行われる。点検員は、このように撮像した画像や点検結果等の情報を事務所等に持ち帰った後、これらの情報をコンピュータ装置に入力する。特許文献１には、このような入力作業を軽減するデータ処理装置が記載されている。
【先行技術文献】
【特許文献】
【０００３】
【特許文献１】特開２００５−３１００４４号公報
【発明の概要】
【発明が解決しようとする課題】
【０００４】
しかしながら、上述のようなデータ処理装置を用いて点検業務を行う場合でも、点検対象である構造物が存在する現地にて点検を行った後、点検結果を事務所に持ち帰った後にコンピュータ装置に登録したり、撮像した画像から点検結果として用いる画像を選択したりする業務が必要になる。そこで、このような点検業務をより効率良く行うことが望ましい。
【０００５】
本発明は、このような状況に鑑みてなされたもので、構造物の点検を支援する点検支援装置、点検支援方法、点検支援プログラムを提供する。
【課題を解決するための手段】
【０００６】
上述した課題を解決するために、本発明の一態様は、構造物の点検を支援する点検支援装置であって、構造物の図面が記憶される図面記憶部と、構造物の点検箇所が撮像された撮像画像と、点検箇所の評価結果と、図面上における点検箇所を示す位置情報とを対応付けた点検結果情報が記憶される点検結果情報記憶部と、点検対象である構造物の図面を図面記憶部から読み出し、読み出した図面を表示部に表示させる表示制御部と、表示部に表示された図面上における点検箇所を示す位置情報と、点検箇所が撮像された撮像画像と、点検箇所の評価結果との入力を受け付ける受付部と、受付部が受け付けた位置情報と撮像画像と評価結果とを対応付けた点検結果情報を、点検結果情報記憶部に記憶させる点検結果情報登録部と、を備えることを特徴とする。
【０００７】
また、本発明の一態様は、受付部が、タッチパネルである表示部に表示された図面上における点検箇所を示す位置に対するタッチ操作により位置情報の入力を受け付けることを特徴とする。
【０００８】
また、本発明の一態様は、前記受付部は、前記点検箇所を撮像した撮像部から、前記点検箇所が撮像された撮像画像を受け付けることを特徴とする。
【０００９】
また、本発明の一態様は、ネットワークを介して接続された点検管理サーバから、複数の構造物のリストを受信して表示部に表示させる構造物リスト取得部と、表示部に表示された構造物のリストから選択された点検対象の構造物の図面を点検管理サーバから取得し、図面記憶部に記憶させる図面取得部と、を備えることを特徴とする。
【００１０】
また、本発明の一態様は、構造物のリストのうち、指定された検索条件に応じた構造物を検索する検索部を備え、図面取得部は、検索部によって検索された構造物の図面を点検管理サーバから取得し、図面記憶部に記憶させることを特徴とする。
【００１１】
また、本発明の一態様は、図面に対応する評価項目が記憶される評価項目記憶部を備え、点検結果情報記憶部には、評価項目ごとに点検結果情報が記憶されることを特徴とする。
【００１２】
また、本発明の一態様は、点検結果情報記憶部には、評価項目ごとに対応付けられた複数の図面ごとに、点検結果情報が記憶されることを特徴とする。
【００１３】
また、本発明の一態様は、表示制御部が、評価項目ごとに対応付けられた複数の図面ごとに、評価結果を対応付けて表示部に表示させることを特徴とする。
【００１４】
また、本発明の一態様は、前記評価項目記憶部に記憶する前記評価項目の情報を書き換える制御部を備え、前記受付部は、前記評価項目の数又は内容を変更する指示を受け付けて、前記制御部は、前記受付部が受け付けた指示に応じて、前記評価項目記憶部に記憶する前記評価項目の情報を書き換えることを特徴とする。
【００１５】
また、本発明の一態様は、表示制御部が、点検結果情報記憶部に記憶された点検結果情報を読み出し、表示部に表示させることを特徴とする。
【００１６】
また、本発明の一態様は、予め定められたフォーマットにより点検結果を記録するためのテンプレートファイルが記憶されるテンプレートファイル記憶部と、点検結果情報記憶部に記憶された点検結果情報を読み出し、テンプレートファイルに記録して点検結果ファイルを生成し、生成した点検結果ファイルを出力する点検結果ファイル生成部を備えることを特徴とする。
【００１７】
また、本発明の一態様は、前記点検結果情報登録部は、前記点検結果情報記憶部に記憶されている前回の点検結果の情報を初期化することを特徴とする。
【００１８】
また、本発明の一態様は、前記点検結果情報登録部は、前記点検結果情報記憶部に記憶されている前回の点検結果の情報を、今回の点検結果の初期情報として取り込むことを特徴とする。
【００１９】
また、本発明の一態様は、点検対象である構造物の図面が記憶される図面記憶部と、構造物の点検箇所が撮像された撮像画像と、点検箇所の評価結果と、図面上における点検箇所を示す位置情報とを対応付けた点検結果情報が記憶される点検結果情報記憶部と、を備える点検支援装置の点検支援方法であって、点検対象である構造物の図面を図面記憶部から読み出し、読み出した図面を表示部に表示させるステップと、表示部に表示された図面上における点検箇所を示す位置情報と、点検箇所が撮像された撮像画像と、点検箇所の評価結果との入力を受け付けるステップと、受け付けた位置情報と撮像画像と評価結果とを対応付けた点検結果情報を、点検結果情報記憶部に記憶させるステップと、を実行することを特徴とする点検支援方法である。
【００２０】
また、本発明の一態様は、点検対象である構造物の図面が記憶される図面記憶部と、構造物の点検箇所が撮像された撮像画像と、点検箇所の評価結果と、図面上における点検箇所を示す位置情報とを対応付けた点検結果情報が記憶される点検結果情報記憶部と、を備える点検支援装置のコンピュータに、点検対象である構造物の図面を図面記憶部から読み出し、読み出した図面を表示部に表示させるステップと、表示部に表示された図面上における点検箇所を示す位置情報と、点検箇所が撮像された撮像画像と、点検箇所の評価結果との入力を受け付けるステップと、受け付けた位置情報と撮像画像と評価結果とを対応付けた点検結果情報を、点検結果情報記憶部に記憶させるステップと、を実行させる点検支援プログラムである。
【発明の効果】
【００２１】
以上説明したように、本発明によれば、構造物の点検を支援する点検支援装置が、構造物の図面が記憶される図面記憶部と、構造物の点検箇所が撮像された撮像画像と、点検箇所の評価結果と、図面上における点検箇所を示す位置情報とを対応付けた点検結果情報が記憶される点検結果情報記憶部と、点検対象である構造物の図面を図面記憶部から読み出し、読み出した図面を表示部に表示させる表示制御部と、表示部に表示された図面上における点検箇所を示す位置情報と、点検箇所が撮像された撮像画像と、点検箇所の評価結果との入力を受け付ける受付部と、受付部が受け付けた位置情報と撮像画像と評価結果とを対応付けた点検結果情報を、点検結果情報記憶部に記憶させる点検結果情報登録部と、を備えるようにしたので、構造物の点検を支援することができる。
【図面の簡単な説明】
【００２２】
【図１】本発明の一実施形態による点検システムの構成を示すブロック図である。
【図２】本発明の一実施形態による画面遷移の例を示す図である。
【図３】本発明の一実施形態による建物選択画面の例を示す図である。
【図４】本発明の一実施形態による図面設定画面の例を示す図である。
【図５】本発明の一実施形態による図面表示画面の例を示す図である。
【図６】本発明の一実施形態による付属建物設定画面の例を示す図である。
【図７】本発明の一実施形態による写真配置画面の例を示す図である。
【図８】本発明の一実施形態による写真詳細画面の例を示す図である。
【図９】本発明の一実施形態による写真設定画面の例を示す図である。
【図１０】本発明の一実施形態による全景写真画面の例を示す図である。
【図１１】本発明の一実施形態による入力状況チェック画面の例を示す図である。
【図１２】本発明の一実施形態による入力状況リストの第２の例を示す図である。
【図１３】本発明の一実施形態による入力状況リストの第３の例を示す図である。
【図１４】本発明の一実施形態による点検項目詳細画面の例を示す図である。
【図１５】本発明の一実施形態による点検結果ファイルの例を示す図である。
【図１６】本発明の一実施形態による点検支援装置の動作例を示すフローチャートである。
【図１７】本発明の一実施形態によりネットワークを介して点検支援処理を行う点検システムの例を示すブロック図である。
【発明を実施するための形態】
【００２３】
以下、本発明の一実施形態について、図面を参照して説明する。
図１は、本実施形態による点検システム１の構成を示すブロック図である。点検システム１は、点検管理サーバ１０と、点検支援装置２０とを備えており、点検管理サーバ１０と点検支援装置２０とはネットワーク５を介して接続されている。ネットワーク５は、インターネット、ＷＡＮ（Wide Area Network）、ＬＡＮ（Local Area Network）、専用回線、電話網、またはこれらの組み合わせである有線または無線の通信網によって構成される情報通信ネットワークである。
【００２４】
点検管理サーバ１０は、複数の点検支援装置２０に接続されたコンピュータ装置であり、入力部１１と、通信部１２と、表示部１３と、記憶部１４と、制御部１５とを備えている。入力部１１は、キーボードやマウス等の入力デバイスであり、管理者等であるユーザの操作に応じた入力信号を生成し、制御部１５に出力する。通信部１２は、ネットワーク５を介して点検支援装置２０と通信する。表示部１３は、情報を表示するディスプレイである。記憶部１４には、点検管理サーバ１０が動作する際に参照する各種情報が記憶されている。例えば、記憶部１４には、点検対象である構造物のリストや図面等が記憶されている。制御部１５は、点検管理サーバ１０が備える各部を制御し、コンピュータ処理を実行する。
【００２５】
点検支援装置２０は、点検員であるユーザに利用され、建物等の構造物の点検を支援するコンピュータ装置であり、通信部２１と、入力部２２と表示部２３とを有するタッチパネル２４と、撮像部２５と、記憶部２６と、制御部３１とを備えている。本実施形態において、点検対象である構造物は建物であるとして説明するが、点検対象の構造物は、建築物や構築物等の、点検の対象となるものであればよい。点検支援装置２０は、例えばＰＣ（Personal Computer）でもよいし、ノートＰＣ、タブレットＰＣ、スレートＰＣ、スマートフォン等の可搬コンピュータ装置でもよい。本実施形態では、点検支援装置２０はタブレットＰＣであるとして説明する。図には、１台のコンピュータ装置を示して説明するが、点検管理サーバ１０は、複数の点検支援装置２０と接続されていてもよい。このような複数の点検支援装置２０は、それぞれ異なるユーザが利用することができ、異なる点検対象についての点検業務に利用することができる。
【００２６】
ここで、点検支援装置２０の記憶部２６には、本実施形態による点検支援処理を実行する点検支援アプリケーションのプログラムが予め記憶（インストール）されており、点検支援装置２０の制御部３１は、この点検支援アプリケーションを読み出して実行することにより点検支援処理を実行する。まず、図面を参照して、点検支援アプリケーションの画面例を説明する。
【００２７】
図２は、点検支援アプリケーションの画面遷移の例を示す図である。制御部３１は、ユーザの操作に応じて、建物選択画面１００と、図面設定画面２００と、図面表示画面３００と、付属建物設定画面４００と、写真配置画面５００と、写真詳細画面６００と、写真設定画面７００と、全景写真画面８００と、入力状況チェック画面９００と、点検項目詳細画面９５０とを表示部２３に表示させる。
【００２８】
ここで、建物選択画面１００と、図面設定画面２００と、図面表示画面３００と、付属建物設定画面４００とは、点検対象である建物や図面を選択し、登録する画面である。
写真配置画面５００と、写真詳細画面６００と、写真設定画面７００と、全景写真画面８００とは、点検結果を入力する画面である。
入力状況チェック画面９００と、点検項目詳細画面９５０とは、入力した点検結果を確認する画面である。
【００２９】
図３は、制御部３１が表示部２３に表示させる建物選択画面１００の例を示す図である。建物選択画面１００は、点検支援アプリケーションを起動し、正常にログインすると表示する画面である。建物リスト１０１には、点検対象の構造物である建物に関する建物情報のリストを表示する。この例では、点検対象の建物ごとに、建物名、所在地、点検終了日時、図面件数、付属件数、延床面積等の情報を表示しており、建物ごとに、点検開始ボタン１０２と、図面設定ボタン１０３と、付属建物ボタン１０４とを対応付けて表示する。
【００３０】
建物名は、点検対象である建物の名称である。所在地は、対応する建物の所在地（住所）である。点検終了日時は、対応する建物の点検が終了した日時を示す。点検終了日時が空欄である場合、点検が終了していないことを示す。図面件数は、対応する建物の点検のために対応付けられた図面の数である。付属件数は、対応する建物に対応付けられた付属建物の数である。
【００３１】
点検開始ボタン１０２が押下されると、制御部３１は、写真配置画面５００を表示部２３に表示させる。図面設定ボタン１０３が押下されると、制御部３１は、図面設定画面２００を表示部２３に表示させる。付属建物ボタン１０４が押下されると、制御部３１は、付属建物設定画面４００を表示部２３に表示させる。建物情報件数１０５は、建物リスト１０１が表示する建物情報の件数である。ここでは、点検対象として２４２３件の建物情報が存在することを示している。表示ページ１０６は、建物リスト１０１が表示している建物情報のページ数である。ここでは、全ページが４８５ページ存在するうち、現在の表示ページが１ページであることを示している。この例では、１ページに５件の建物情報を表示している。ページ遷移ボタン１０７は、建物リスト１０１のページを遷移させるボタンである。例えば、上側のページ遷移ボタン１０７を押下すると前ページに遷移し、下側のページ遷移ボタン１０７を押下すると次ページに遷移する。
【００３２】
建物名１０８は、建物名が入力されるテキストボックスである。例えば、ユーザが、点検対象である建物の名称（名称の一部でもよい）を建物名１０８に入力し、検索ボタン１０９を押下すると、制御部３１によって建物の検索処理が行われる。制御部３１は、検索した建物情報を建物リスト１０１に表示する。
なお、初期化ボタン１１０が押されると、制御部３１は、点検対象の建物の情報、例えば、建物名、所在地、点検終了日時、図面件数、付属件数、延床面積等の情報を初期化する。点検対象の建物を複数選択して、纏めて初期化するようにしてもよい。このように、複数の項目を纏めて初期化できるようにしたことにより、操作性を高めることができる。また、不要なデータを容易に消去できることから、消し忘れなどによる情報の流出を防ぐことができる。
【００３３】
図４は、制御部３１が表示部２３に表示させる図面設定画面２００の例を示す図である。
口座コード２０１は、点検対象である建物を識別する情報である。対象図面候補リスト２０２には、点検対象である建物に対応付けられた図面候補のリストを表示する。ここで、建物情報には、その建物の図面が予め図面候補として対応付けられており、この複数の図面候補のうちから、点検対象の建物の図面として利用する図面を選択する。
【００３４】
この例では、図面候補ごとに、図面名、種別１、種別２、建物名、住所、図面更新日時、ファイル名等の情報を表示しており、図面候補ごとに、選択ボタン２０３と、図面表示ボタン２０４とを対応付けて表示する。図面名は、図面の名称である。種別１は、図面の種別であり、例えば、配置図、立面図、平面図の種別が存在する。種別２は、種別１に応じたより具体的な図面の種別であり、例えば、立面図には、東面、西面、南面、北面等の種別が存在し、平面図には、フロア、屋上等の種別が存在する。建物名は、対応する図面によって表される建物の名称である。住所は、対応する図面によって表される建物の住所である。図面更新日時は、図面が更新された日時である。ファイル名は、図面の実体であるファイルの名称である。選択ボタン２０３は、押下する度に選択状態と解除状態を切り替える。図面表示ボタン２０４が押下されると、制御部３１は、図面表示画面３００を表示部２３に表示させる。登録ボタン２０５が押下されると、その時点で選択状態である図面を、点検対象の図面として登録する。
【００３５】
図５は、制御部３１が表示部２３に表示させる図面表示画面３００の例を示す図である。
図面３０１は、図面設定画面２００において押下された図面表示ボタン２０４に対応する図面である。図面種別選択操作子３０２は、図面３０１に表示された図面の種別を選択する操作子である。登録ボタン３０３が押下されると、図面種別選択操作子３０２によって選択された種別を登録する。
【００３６】
図６は、制御部３１が表示部２３に表示させる付属建物設定画面４００の例を示す図である。
付属建物設定画面４００には、建物選択画面１００において押下された付属建物ボタン１０４に対応する建物に対応付けられた付属建物に関する情報を表示する。この画面で選択された付属建物は、点検対象である建物に対応付けられる。
【００３７】
図７は、制御部３１が表示部２３に表示させる写真配置画面５００の例を示す図である。
図面５０１は、建物選択画面１００において押下された図面設定ボタン１０３に対応する図面である。ここでは、配置図を表示した例を示している。ピン５０１ａとピン５０１ｂとは、図面上において点検が行われた箇所を示しており、ピン５０１ａとピン５０１ｂの近傍には、そのピンが示す箇所の点検により撮像された撮像画像の撮像方向を示す矢印を表示する。
【００３８】
撮像ボタン５０２が押下されると、制御部３１は、点検支援装置２０が備えるカメラを起動する。ピンボタン５０３が押下され、図面５０１上にスライドされ、図面５０１上における点検箇所において離されるタッチ操作（ドラッグ＆ドロップ）が行われると、制御部３１は、離された位置にピンを対応付けるとともに、写真詳細画面６００を表示部２３に表示させる。この位置は、表示部２３に表示された図面上における点検箇所を示す点検箇所を示す位置情報として入力される。位置情報は、例えば、図面におけるＸ座標とＹ座標との座標値により、ピンがドロップされた位置を示す。写真リスト５０４には、点検対象である建物の点検箇所が撮像された撮像画像のリストを表示する。例えば、制御部３１は、撮像ボタン５０２が押下されることによって撮像された撮像画像や、予め撮像されて記憶部２６における所定の領域（フォルダ）に記憶された撮像画像を読み出して表示する。写真リスト５０４には、例えば、撮像された撮像画像の撮像日付の降順に複数の撮像画像を表示する。写真リスト５０４に含まれる撮像画像のうち、いずれかの撮像画像が押下され、図面５０１上にスライドされ、図面５０１上における点検箇所において離されるタッチ操作が行われると、制御部３１は、離された位置にピンを表示し、その位置に写真を対応付けるとともに、写真詳細画面６００を表示部２３に表示させる。この位置は、点検箇所を示す位置情報として入力される。
【００３９】
描画操作子５０５が押下されると、制御部３１は、描画モードに切り替わる。描画モードでは、図面５０１上におけるタッチ操作に応じて、図面５０１上に図形を描画する。ここでは、矩形や円形等の図形を描画してもよいし、フリーハンドによる文字や図形の書込みを行ってもよい。全景写真ボタン５０６が押下されると、制御部３１は、全景写真画面８００を表示部２３に表示させる。過去データボタン５０７が押下されると、制御部３１は、過去における点検結果情報を表示部２３に表示させる。入力チェックボタン５０８が押下されると、制御部３１は、入力状況チェック画面９００を表示部２３に表示させる。このように、過去における点検結果情報を参照できるようにしたことにより、これまでの点検結果の履歴から状態の変化を容易に確認することができる。また、今回の点検結果が過去の点検結果とかい離が大きいことが点検時に速やかにわかるようになり、必要な調査をその場で実施することが可能なる。また、前年図面ボタン５０９が押下されると、制御部３１は、前年（前回）の点検時に作成した図面を表示部２３に表示させる。このように、前年（前回）の図面を容易に参照できるようにしたことにより、前任者から引き継いで初めて現場で点検を行う場合であっても、単に図面を参照できるだけではなく、過去の点検時の作業の要領をデータとして、後任者に引き継ぐことができる。このように、点検の要領を引き継げるようにしたことにより、点検作業の品質を維持することが容易になる。さらに、点検時に限らず、異常な状態が発生して現場に駆け付けた際に、過去の点検時の状態を確認することができ、平常時との違いを見つけることを支援することができる。
【００４０】
図８は、制御部３１が表示部２３に表示させる写真詳細画面６００の例を示す図である。
写真６０１は、写真配置画面５００において図面５０１上にドロップされた撮像画像である。写真配置画面５００において、撮像画像が押下されずにピンボタン５０３が押下されてピンが図面５０１上にドロップされた場合、写真６０１には画像を表示しない。撮影方向操作子６０２は、点検箇所における撮像画像の撮像方向を選択する操作子である。ここでは、８方向の撮像方向を選択可能な例を示している。部位コメント６０３は、点検箇所の部位に関するコメントを入力するテキストボックスである。劣化コメント６０４は、点検箇所の部位の劣化状況に関するコメントを入力するテキストボックスである。
【００４１】
評価ボタン６０５は、撮像画像が示す点検箇所に対する評価結果を選択する操作子である。評価結果は、点検箇所の劣化の度合いを示しており、ここでは、「Ａ」、「Ｂ」、「Ｃ」のうちからいずれかの評価結果を選択する。例えば、「Ａ」が最も劣化の度合いが少なく（評価が良く）、「Ｂ」は「Ａ」に比べて劣化の度合いが大きく、「Ｃ」は「Ｂ」に比べて劣化の度合いが大きく、最も劣化の度合いが大きい（評価が悪い）。緊急性ボタン６０６は、点検箇所に何らかの措置を行うべき緊急性の存否を選択する操作子である。緊急性がある場合には「ある」を選択し、緊急性がない場合には「ない」を選択する。
【００４２】
入力項目選択操作子６０７は、点検対象である図面に対応する評価項目を選択する操作子である。評価項目は、例えば、大分類、中分類、仕上げ、項目、のように階層的に定められる。ここでは、大分類が「屋上及び屋根」であり、中分類が「屋上」であり、仕上げが「屋上面」であり、項目が「屋上面に劣化及び破損は見られませんか？」である評価項目に対し、評価結果が「Ａ」である場合は「健全」であることを示し、「Ｂ」である場合は「わずかに見られる」ことを示し、「Ｃ」である場合は「全面的に見られる」ことを示している。例えば、屋上面の防水処理が劣化している個所が多くみられた場合には、評価結果が「Ｃ」になる。ここで、評価ボタン６０５における「Ａ」、「Ｂ」、「Ｃ」のボタンは、例えば緑、黄色、赤、等に色分けして表示してもよい。また、写真配置画面５００において図面５０１上に表示するピンは、この評価結果の色と同様の色を表示するようにしてもよい。このようにすれば、写真配置画面５００に表示されたピンの色により、評価結果を示すことができる。写真ボタン６０８が押下されると、制御部３１は、写真設定画面７００を表示部２３に表示させる。
【００４３】
図９は、制御部３１が表示部２３に表示させる写真設定画面７００の例を示す図である。
写真設定画面７００には、記憶部２６の所定の領域に記憶された撮像画像を表示する。写真設定画面７００に表示された撮像画像のうち、いずれかの撮像画像が選択されて設定ボタン７０１が押下されると、押下された際に選択されていた撮像画像が、点検結果として対応付けられて記憶される。ここで対応付けられた撮像画像は、例えば写真詳細画面６００における写真６０１として表示する。
【００４４】
図１０は、制御部３１が表示部２３に表示させる全景写真画面８００の例を示す図である。
全景写真画面８００には、建物に対して対応付けられた全景写真等の撮像画像を表示する。ここで、設定ボタン８０１が押下されると、制御部３１は、写真設定画面７００を表示部２３に表示させる。写真設定画面７００においていずれかの撮像画像が選択されると、制御部３１は、選択された撮像画像を、全景写真画面８００において設定ボタン８０１が押下された項目に対応付けて記憶させる。
【００４５】
図１１は、制御部３１が表示部２３に表示させる入力状況チェック画面９００の例を示す図である。
野帳確認ボタン９０１が押下されると、制御部３１は、表示している入力状況を予め定められたフォーマットにより点検結果を記録するためのテンプレートファイルに記録して点検結果ファイルを生成し、生成した点検結果ファイルを出力する。点検者９０２は、点検を行った点検者の氏名等を入力するテキストボックスである。入力状況リスト９０３は、写真詳細画面６００において選択された評価項目に点検結果情報を対応付けたリストを表示する。ここで、評価項目には、「危」と記載した列を表示している。この表示は、例えば評価項目が示す点検箇所の点検が危険を伴うことを示す。例えば、「危」の列に黒丸を表示することにより、この評価項目が示す点検箇所の点検が危険を伴うことを、点検を行うユーザに知らせ、注意を促すことができる。
【００４６】
評価結果９０４は、評価項目ごとに対応付けられた複数の図面ごとに、評価結果を対応付けて表示する。ここでは、まだ評価結果が入力されていないため、「未」を表示している。前年評価結果９０４ａは、当該評価項目ごとに対応付けられた複数の図面ごとに、前年の評価結果を対応付けてそれぞれ表示する。このように前年評価結果９０４ａを、評価結果９０４に対応づけて表示したことにより、前年の評価結果を容易に確認することができる。また、当年の評価結果と前年の評価結果を対比することが容易になることにより、状態が急に変化したことや、評価結果の誤入力の有無の確認が容易になる。
総合評価９０５は、評価結果９０４に表示した１または複数の評価結果の総合評価を表示する。総合評価には、制御部３１によって、１または複数の評価結果のうち最も悪い評価結果が対応付けられる。なお、前年総合評価９０５ａは、前年の評価総合に対応付けてそれぞれ表示する。このように前年総合評価９０５ａを、総合評価９０５に対応づけて表示したことにより、前年の総合評価を容易に確認することができる。また、当年の総合評価と前年の総合評価を対比することが容易になることにより、状態が急に変化したことや、総合評価の誤判定の有無の確認が容易になる。
詳細ボタン９０６が押下されると、制御部３１は、点検項目詳細画面９５０を表示部２３に表示させる。
この図における入力状況リスト９０３には、評価項目に配置図（配置）である図面が対応付けられた場合の表示例である第１の例を示しているが、入力状況リスト９０３には、立面図や平面図を表示することもできる。
【００４７】
図１２は、制御部３１が表示部２３に表示させる入力状況チェック画面９００における入力状況リスト９０３の第２の例を示す図である。
ここでは、立体図における「東面」（東）と「西面」（西）との図面が対応付けられた例を示している。「Ａ」、「Ｂ」、「Ｃ」はユーザによって選択された評価結果を示し、「未」は評価結果が入力されていないことを示し、「なし」は対応する点検箇所が存在しなかったことを示している。同図は、仕上げが「外壁」に関するものの一例を示す。例えば、仕上げが「外壁：外装仕上げ材等」について、「タイル、石貼り等（乾式工法によるものを除く。）、モルタル等に、劣化及び損傷は見られませんか？」の項目が定められている。その項目について、「東面」（東）の判定が「Ａ」であり、「西面」（西）の判定が「なし」であり、総合評価が「Ａ」であることが記されている。
【００４８】
図１３は、制御部３１が表示部２３に表示させる入力状況チェック画面９００における入力状況リスト９０３の第３の例を示す図である。ここでは、平面図における３つのフロア（「Ｆ０１」、「Ｆ０２」、「Ｍ０２」）の図面が対応付けられた例を示している。同図は、仕上げが「防火」と「耐火構造」に関するものの一例を示す。「防火区画」、「防火区画：外周部」等の仕上げについて、それぞれの平面図に基づいて整理する。
【００４９】
図１４は、制御部３１が表示部２３に表示させる点検項目詳細画面９５０の例を示す図である。点検項目詳細画面９５０には、評価項目、評価結果、撮像画像等を表示する。この画面において、評価結果や撮像画像を変更することができる。同図は、大分類が「建物内部」であり、中分類が「室内・廊下」であり、仕上げが「居室の採光及び換気」についての点検項目の詳細を示す。点検内容の「採光のための開口部の面積が確保されていないところはありますか？」に対し、写真を添付して採光状態の評価結果を記録する。その評価により、「Ａ（健全）」と評価されたことが示されている。
【００５０】
図１に戻り、通信部２１は、ネットワーク５を介して点検管理サーバ１０と通信する。
入力部２２は、ユーザからの操作に応じて入力信号を生成する入力デバイスである。入力部１２０には、例えば、キーボードやボタン、タッチパネル等が適用できる。表示部２３は、画像や文字等の情報を画面に表示する表示デバイスである。本実施形態では、入力部２２と表示部２３とは一体に構成されてユーザからのタッチ操作を受け付けるタッチパネル２４を適用した例を説明する。
【００５１】
撮像部２５は、カメラであり、レンズに結像された像を電気信号に変換して撮像した撮像画像を生成する。撮像部２５は、例えば写真配置画面５００において撮像ボタン５０２が押下されると起動し、ユーザからの操作に応じて点検箇所を撮像した撮像画像を生成し、生成した撮像画像を受付部３２に入力する。また、撮像部２５は、生成した撮像画像を記憶部２６における所定の領域に記憶させる。
【００５２】
記憶部２６は、図面記憶部２７と、評価項目記憶部２８と、点検結果情報記憶部２９と、テンプレートファイル記憶部３０とを備えており、各種情報が記憶される。
図面記憶部２７には、点検対象である建物の図面が記憶される。ここでは、図面設定画面２００等において選択された点検対象の建物の図面のみが、図面取得部３５によって取得されて図面記憶部２７に記憶される。ここで、図面のデータは、テキスト等の情報に比べて容量が大きいと考えられるため、可搬のコンピュータ装置である点検支援装置２０の記憶部２６に全ての建物の全ての図面を記憶させるのは困難であるとともに、過大な負荷をかけることになる。そこで、選択された点検対象の建物の図面のみを図面記憶部２７に記憶させることで、可搬のコンピュータ装置である点検支援装置２０によって点検対象の図面を用いた点検支援処理を行うことが可能となる。すなわち、点検支援装置２０として適用するタブレットＰＣがより安価、軽量になるため、効率良い点検業務を支援することが可能となる。
【００５３】
評価項目記憶部２８には、図面に対応する評価項目が記憶される。評価項目は、例えば、上述したように大分類、中分類、仕上げ、項目、のように階層的に定められた情報であり、図面の種別（配置図、立面図、平面図）ごとに複数の評価項目が予め対応付けられて記憶されている。例えば、図面表示画面３００において図面の種別が選択されると、制御部３１は、その図面に対応する種別の評価項目を評価項目記憶部２８から読み出し、読み出した評価項目を図面に対応付ける。
【００５４】
点検結果情報記憶部２９には、点検対象である建物の点検箇所が撮像された撮像画像と、その点検箇所の評価結果と、点検対象の図面上における点検箇所を示す位置情報とを対応付けた点検結果情報が記憶される。ここで、点検結果情報は、図面に対応する評価項目ごとに対応付けられて記憶される。すなわち、例えば図１１における入力状況チェック画面９００の入力状況リスト９０３において示したように、点検対象である建物について、複数の評価項目ごとに、撮像画像や評価結果、点検箇所の図面における位置情報を対応付けることができる。これにより、予め定められた評価項目を網羅的に点検することで、建物の点検箇所を漏れなく点検することができる。
【００５５】
また、点検結果情報は、評価項目ごとに対応付けられた複数の図面ごとに、対応付けられて記憶される。すなわち、例えば図１２や図１３における入力状況チェック画面９００の入力状況リスト９０３において示したように、点検対象である建物について、複数の評価項目ごとに、複数の図面を対応付け、その図面ごとに点検結果情報を対応付けることができる。これにより、同一の評価項目について、複数の図面を用いて点検することができるため、図面ごとに予め定められた評価項目を網羅的に点検することで、建物の点検箇所を漏れなく点検することができる。さらに、図１２や図１３に示したように、同一の評価項目についての複数の図面ごとの評価結果を並べて表示することができるため、点検員や管理者は、評価結果を一覧し、効率良く点検状況を把握することができる。
【００５６】
テンプレートファイル記憶部３０には、予め定められたフォーマットにより点検結果を記録するためのテンプレートファイルが記憶される。テンプレートファイルは、例えば表計算アプリケーション等によって定められた形式のファイルであり、図面に対応する評価項目が予め記録されている。
【００５７】
制御部３１は、受付部３２と、点検結果情報登録部３３と、構造物リスト取得部３４と、図面取得部３５と、点検結果ファイル生成部３６と、検索部３７と、表示制御部３８とを備えており、点検支援装置２０が備える各部を制御して点検支援処理を行う。
【００５８】
受付部３２は、入力部２２が生成した入力信号に基づいて情報の入力を受け付ける。例えば、受付部３２は、写真配置画面５００において、タッチパネル２４である表示部２３に表示された図面上における点検箇所を示す位置に対するタッチ操作により位置情報の入力を受け付ける。また、受付部３２は、写真詳細画面６００または点検項目詳細画面９５０において、評価結果の入力を受け付ける。また、受付部３２は、撮像部２５によって生成された撮像画像の入力を受け付ける。
【００５９】
点検結果情報登録部３３は、受付部３２が受け付けた位置情報と撮像画像と評価結果とを対応付けた点検結果情報を、評価項目ごとに対応付けて点検結果情報記憶部２９に記憶させる。
構造物リスト取得部３４は、ネットワーク５を介して接続された点検管理サーバ１０から、複数の建物のリストを受信して表示部２３に表示させる。例えば、構造物リスト取得部３４は、建物選択画面１００に含まれる建物リスト１０１を表示させる。
【００６０】
図面取得部３５は、表示部２３に表示された建物選択画面１００における建物リスト１０１から選択された点検対象の建物の図面を点検管理サーバ１０から取得し、図面記憶部２７に記憶させる。また、図面取得部３５は、後述する検索部３７によって検索された建物の図面を点検管理サーバ１０から取得し、図面記憶部２７に記憶させる。
【００６１】
点検結果ファイル生成部３６は、点検結果情報記憶部２９に記憶された点検結果情報を読み出し、テンプレートファイル記憶部３０に記憶されたテンプレートファイルに記録して点検結果ファイルを生成し、生成した点検結果ファイルを出力する。図１５は、点検結果ファイル生成部３６が生成する点検結果ファイルの例を示す図である。この図に示す点検結果ファイルは、各評価項目を、大分類、中分類、仕上げ、点検項目、のように階層的分類して、分類された点検項目ごとにそれぞれの点検結果情報を記録する。ここでは、評価結果を「Ａ」、「Ｂ」、「Ｃ」にクラス分けして示している。それぞれクラス分けされた評価結果に「１」が記されたものが、その点検項目の評価結果を示す。
【００６２】
検索部３７は、建物選択画面１００に表示される建物のリストのうち、指定された検索条件に応じた構造物を検索する検索処理を行う。例えば、検索部３７は、建物選択画面１００における建物名１０８に建物の名称等の文字列が入力され、検索ボタン１０９が押下されると、入力された文字列を建物名に含む建物を検索し、検索結果である建物を建物リスト１０１に表示させる。ここでは、検索条件の例として建物の名称を説明したが、所在地等を検索条件とすることもできる。
【００６３】
表示制御部３８は、表示部２３に各種情報、各画面を表示させる。例えば、表示制御部３８は、点検対象である建物の図面を図面記憶部２７から読み出し、読み出した図面を表示部２３に表示させる。また、表示制御部３８は、評価項目ごとに対応付けられた複数の図面ごとに、評価結果を対応付けた入力状況チェック画面９００を表示部２３に表示させる。また、表示制御部３８は、点検結果情報記憶部２９に記憶された点検結果情報を読み出し、表示部２３に表示させる。
【００６４】
次に、図面を参照して、本実施形態による点検システム１の動作例を説明する。図１６は、本実施形態による点検支援装置２０の動作例を示すフローチャートである。
点検員であるユーザは、点検支援装置２０を持って点検対象である建物が存在する現地に行き、点検支援装置２０を操作する。ユーザによって入力部２２が操作され、点検支援アプリケーションの起動要求が入力されると、制御部３１は、記憶部２６に記憶されている点検支援アプリケーションのプログラムを読み出し、点検支援アプリケーションを起動する。構造物リスト取得部３４が、点検管理サーバ１０から建物リストを取得すると、表示制御部３８は、建物選択画面１００を表示部２３に表示させる（ステップＳ１）。
【００６５】
建物選択画面１００において、いずれかの建物が選択され（ステップＳ２）、図面設定ボタン１０３が押下されると、表示制御部３８は、図面設定画面２００を表示部２３に表示させる。図面設定画面２００において、受付部３２は、選択ボタン２０３に対する操作に応じて図面の選択を受け付ける（ステップＳ３）。図面設定画面２００において図面表示ボタン２０４が押下されると、表示制御部３８は、図面表示画面３００を表示部２３に表示させる。受付部３２は、図面表示画面３００において図面の種別等の入力を受け付ける。図面設定画面２００において登録ボタン２０５が押下されると、図面取得部３５は、選択されている図面を点検管理サーバ１０から取得し、図面記憶部２７に記憶させる（ステップＳ４）。
【００６６】
建物選択画面１００において点検開始ボタン１０２が押下されると、表示制御部３８は、押下された点検開始ボタン１０２に対応する建物に対応付けられた図面を含む写真配置画面５００を、表示部２３に表示させる（ステップＳ５）。ユーザが、点検対象である建物の点検箇所に行き、写真配置画面５００において、撮像ボタン５０２が押下されると、制御部３１は、撮像部２５を起動する。撮像部２５は、ユーザからの操作に応じて点検箇所を撮像し、撮像画像を生成する（ステップＳ６）。撮像部２５は、生成した撮像画像を受付部３２に入力する。受付部３２は、撮像部２５からの撮像画像の入力を受け付ける。
【００６７】
評価項目記憶部２８は、受付部３２が受け付けた撮像画像を、写真配置画面５００の写真リスト５０４に表示させる。写真リスト５０４に表示した撮像画像のうち、いずれかの撮像画像が選択され、図面５０１上にスライドされて離されると、受付部３２は、離された位置を示す位置情報の入力を受け付ける（ステップＳ７）。表示制御部３８は、写真詳細画面６００を表示部２３に表示させる。受付部３２は、写真詳細画面６００における評価ボタン６０５に対する操作に基づいて、評価結果の入力を受け付ける（ステップＳ８）。点検結果情報登録部３３は、ステップＳ７において選択された撮像画像と、ステップＳ７において入力された位置情報と、ステップＳ８において入力された評価結果とを、写真詳細画面６００において選択された評価項目に対応付けた点検結果情報を、点検結果情報記憶部２９に記憶させる（ステップＳ９）。
【００６８】
写真配置画面５００の入力チェックボタン５０８が押下されると、表示制御部３８は、入力状況チェック画面９００を表示部２３に表示させる（ステップＳ１０）。入力状況チェック画面９００において、野帳確認ボタン９０１が押下されると、点検結果ファイル生成部３６は、点検結果情報記憶部２９に記憶されている点検結果情報を読み出し、テンプレートファイル記憶部３０に記憶されているテンプレートファイルを読み出して、読み出したテンプレートファイルに点検結果情報を記録して出力する（ステップＳ１１）。
【００６９】
以上説明したように、本実施形態によれば、可搬コンピュータ装置である点検支援装置２０を用いて、点検対象である建物の現地において、撮像画像、評価結果、図面における位置情報を含む点検結果を入力することが可能となる。これにより、野帳やデジタルカメラを持って点検対象である建物の現地において点検を行い、事務所等に点検結果をコンピュータ装置に入力するような業務を行うことなく、点検業務を現地にて完了させることができる。したがって、効率良い構造物の点検を支援することが可能となる。
【００７０】
さらに、複数の点検員が、異なる点検支援装置２０を用いて点検を行う場合でも、建物情報や図面等のデータはネットワーク５を介して点検管理サーバ１０から取得するため、全ての点検支援装置２０が、同一の建物情報、図面に基づく点検を支援することができる。
さらに、複数の点検支援装置２０に入力された点検結果情報を点検管理サーバ１０に送信して点検管理サーバ１０が記憶するようにすれば、複数の点検支援装置２０を用いて行われた点検結果を集約して管理することができる。
【００７１】
また、写真配置画面５００においては、描画操作子５０５を利用して図面に直接描画することができるため、手やペン等を用いてタッチパネル２４の入力部２２に対して操作を行うことで、従来の点検業務時に紙の図面に書き込んでいたメモ等の情報を、同様に図面に対して書き込むことができる。
【００７２】
また、複数の点検支援装置２０は、テンプレートファイル記憶部３０に記憶されたテンプレートファイルに点検結果を記録した点検結果ファイルを生成することができる。このため、例えば点検結果を管理する管理者が、特定のフォーマットによる点検結果の報告を要求している場合でも、テンプレートファイル記憶部３０にそのフォーマットに合わせたテンプレートファイルを記憶させておき、点検結果に基づいて生成した点検結果ファイルを管理者に送信すれば、管理者への点検結果の報告までもが一連の処理としてシームレスに行うことができる。
【００７３】
なお、本実施形態では、点検箇所の撮像画像は点検支援装置２０の撮像部２５が撮像して生成する例を示したが、例えば別の筐体であるデジタルカメラによって撮像された撮像画像を点検結果として対応付けることもできる。例えば、デジタルカメラによって撮像された撮像画像を点検支援装置２０が読み込み、記憶部２６における所定の領域に記憶させておき、写真配置画面５００の写真リスト５０４に表示させるようにしてもよい。このとき、点検支援装置２０は、デジタルカメラによって撮像した撮像画像を有線または無線の通信によって読み込むことができる。又は、デジタルカメラによって撮像した撮像画像を半導体メモリーなどの記憶媒体に記憶させておき、点検支援装置２０は、その記憶媒体に書き込まれている撮像画像を読み込むことができる。このようにすれば、点検支援装置２０が撮像部２５を備えていない場合や、何らかの事情により別個のデジタルカメラによって点検箇所を撮像した場合でも、デジタルカメラによって撮像した撮像画像を点検結果として対応付けることができる。
【００７４】
また、上述の実施形態では、図面設定画面２００等において選択された図面のみが図面記憶部２７に記憶される例を示したが、全ての図面が図面記憶部２７に記憶されているようにしてもよい。
【００７５】
また、制御部３１は、点検結果情報記憶部２９に、全ての評価項目の対する点検結果情報が対応付けられていない場合には、警告を出力したり、点検結果情報が対応付けられていない評価項目を通知したりすることもできる。
【００７６】
また、評価項目は、予め定めておくことにより現場における点検作業を効率よくもれなく進めることができる。なお、その評価項目は、予め定めておく運用形態に制限されることなく、必要に応じて評価項目を削除したり、評価項目を追加したりするような運用にしてもよい。また、評価項目の内容の一部文言を変更して、現場の状況に応じた評価が行えるようにしてもよい。例えば、上記の評価項目の追加と削除、評価項目の内容の変更などの評価項目に係る変更を以下の手順で行うことができる。評価の記録を漏れなく残すために、まず、点検管理サーバ１０に、評価項目に係る変更を登録する。その後、点検管理サーバ１０から点検支援装置２０に変更した項目データをダウンロードするようにしてもよい。上記の処理は下記の手順で行うことができる。タッチパネル２４の入力部２２に対する操作を受付部３２が受け付ける。受付部３２が受け付けた情報に基づいて、制御部３１は、点検管理サーバ１０に対して評価項目に係る変更を要求する。点検管理サーバ１０の制御部１５は、制御部３１からの要求に応じて、記憶部１４に評価項目に係る変更を記憶する。そののち、制御部１５は、制御部３１からのダウンロードの要求に応じて、記憶部１４に記憶している評価項目に係る項目データを点検支援装置２０に送り、制御部３２によって点検支援装置２０内に記憶する項目データを更新して書き換えさせる。
【００７７】
また、点検支援装置２０上でも必要に応じて点検項目に係る変更が行なえるようにすることにより、例えば、通信が容易に行えない環境においても現場の作業の中で速やかに対応することが可能になる。この場合、タッチパネル２４の入力部２２に対する操作を受付部３２が受け付ける。受付部３２が受け付けた情報に基づいて、制御部３１は、評価項目記憶部２８に記憶する項目データを更新して書き換える。その後、更新した項目データを点検管理サーバ１０に送り、点検管理サーバ１０において記憶する項目データを更新する。
【００７８】
また、点検支援装置２０は、過去における点検結果情報を表示したり、過去における点検結果に基づく点検結果ファイルを生成したりして出力することもできる。この際、複数の点検結果情報や、過去における複数の点検結果情報と現在行っている点検結果情報とを比較して表示することもできる。これによれば、例えば時系列に変化する点検対象の点検箇所の劣化度合いの変化等を視覚的に示すことができる。
【００７９】
例えば、点検結果情報登録部３３は、点検結果情報記憶部２９に記憶されている前回の点検結果の情報を初期化するように構成してもよい。なお、その際、点検結果情報登録部３３は、点検結果情報記憶部２９に記憶されている前回の点検結果の情報を、今回の点検結果の初期情報として取り込むように構成してもよい。このように点検に先立って、点検結果の情報を纏めて初期化したり、前回の点検結果の情報を利用できるようにしたりしたことにより、必要とされる操作を簡素化することが可能になる。
【００８０】
また、撮像部２５が撮像した撮像画像の属性情報に場所情報が含まれる場合は、その場所情報に基づいて、図面５０１に撮像画像を対応付けることもできる。例えば、点検支援装置２０が備えるＧＰＳ（Global Positioning System）機能等により取得した緯度と経度とを示す場所情報が、撮像画像の属性情報に含まれている場合がある。この場合、図面５０１として表示している図面においても、緯度と経度との場所情報が含まれる場合、図面における場所情報に対応する位置に、撮像画像を自動的に対応付けることができる。
【００８１】
また、例えば、過去データ等に基づいて、新たな点検において撮像を行うべき場所を判定し、点検支援装置２０がその場所にある場合に、撮像部２５が自動的に撮像を行うようにしてもよい。この場合には、点検支援装置２０が備えるＧＰＳ機能や、ジャイロセンサ（加速度センサ）で場所や撮像方向を判定することができる。
あるいは、例えば建物の点検箇所にひびわれ等が存在する場合、その点検箇所の撮像画像を画像解析して、ひびわれの面積や長さ等を検出するようにしてもよい。
【００８２】
また、本実施形態における点検管理サーバ１０や点検支援装置２０が備える各構成は、クラウド環境やネットワーク環境、ユーザ数や点検対象の規模等に応じて、任意のコンピュータ装置に分散または集約して配置することができる。また、例えば、点検支援装置２０が備える各機能部が行う処理を、ネットワーク５を介して提供するように構成することもできる。
【００８３】
図１７は、ネットワーク５を介して点検支援処理を行う点検システム１０００の例を示すブロック図である。点検システム１０００は、点検支援装置１０２０と、ユーザ端末１０５０とを備えており、点検支援装置１０２０とユーザ端末１０５０とはネットワーク５を介して接続されている。点検支援装置１０２０は、通信部１０２１と、記憶部１０２６と、制御部１０３１とを備えている。記憶部１０２６は、図面記憶部１０２７と、評価項目記憶部１０２８と、点検結果情報記憶部１０２９と、テンプレートファイル記憶部１０３０とを備えている。制御部１０３１は、受付部１０３２と、点検結果情報登録部１０３３と、点検結果ファイル生成部１０３６と、検索部１０３７と、表示制御部１０３８とを備えている。ユーザ端末１０５０は、入力部１０２２と表示部１０２３とを有するタッチパネル１０２４と、撮像部１０２５と、通信部１０４１と、記憶部１０４２と、制御部１０４３とを備えている。
【００８４】
通信部１０２１と、記憶部１０２６と、図面記憶部１０２７と、評価項目記憶部１０２８と、点検結果情報記憶部１０２９と、テンプレートファイル記憶部１０３０と、制御部１０３１と、受付部１０３２と、点検結果情報登録部１０３３と、点検結果ファイル生成部１０３６と、検索部１０３７と、表示制御部１０３８と、入力部１０２２と、表示部１０２３と、撮像部１０２５とは、それぞれ上述した記憶部２６と、図面記憶部２７と、評価項目記憶部２８と、点検結果情報記憶部２９と、テンプレートファイル記憶部３０と、制御部３１と、受付部３２と、点検結果情報登録部３３と、点検結果ファイル生成部３６と、検索部３７と、表示制御部３８と、入力部２２と、表示部２３と、撮像部２５と同様の構成である。
【００８５】
点検支援装置１０２０の通信部１０２１は、例えばウェブサーバの機能を備えており、表示制御部１０３８は、各画面を例えばＨＴＭＬ（HyperText Markup Language）ファイルとしてユーザ端末１０５０に送信することができる。点検支援装置１０２０の受付部１０３２は、ネットワーク５を介してユーザ端末１０５０から送信される情報の入力を受け付ける。ユーザ端末１０５０は、点検員であるユーザに利用される可搬のコンピュータ装置であり、例えばタブレットＰＣ等が適用できる。通信部１０４１は、ネットワーク５を介して点検支援装置１０２０と通信する。記憶部１０４２には、ユーザ端末１０５０が動作するための各種情報が記憶され、制御部１０４３はユーザ端末１０５０が備える各部を制御する。例えば、記憶部１０４２にはウェブブラウザのプログラムが記憶されており、制御部１０４３は、ウェブブラウザを動作させることにより点検支援装置１０２０に接続し、撮像画像や位置情報、評価結果等の点検結果情報を送信したり、各画面を受信して表示部１０２３に表示させたりすることができる。
【００８６】
なお、本発明における処理部の機能を実現するためのプログラムをコンピュータ読み取り可能な記録媒体に記録して、この記録媒体に記録されたプログラムをコンピュータシステムに読み込ませ、実行することにより点検支援を行ってもよい。なお、ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【００８７】
また、上述した機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００８８】
１  点検システム
５  ネットワーク
１０  点検管理サーバ
１１  入力部
１２  通信部
１３  表示部
１４  記憶部
１５  制御部
２０  点検支援装置
２１  通信部
２２  入力部
２３  表示部
２４  タッチパネル
２５  撮像部
２６  記憶部
２７  図面記憶部
２８  評価項目記憶部
２９  点検結果情報記憶部
３０  テンプレートファイル記憶部
３１  制御部
３２  受付部
３３  点検結果情報登録部
３４  構造物リスト取得部
３５  図面取得部
３６  点検結果ファイル生成部
３７  検索部
３８  表示制御部
１００  建物選択画面
１０１  建物リスト
１０２  点検開始ボタン
１０３  図面設定ボタン
１０４  付属建物ボタン
１０５  建物情報件数
１０６  表示ページ
１０７  ページ遷移ボタン
１０８  建物名
１０９  検索ボタン
１１０  初期化ボタン
２００  図面設定画面
２０１  口座コード
２０２  対象図面候補リスト
２０３  選択ボタン
２０４  図面表示ボタン
２０５  登録ボタン
３００  図面表示画面
３０１  図面
３０２  図面種別選択操作子
３０３  登録ボタン
４００  付属建物設定画面
５００  写真配置画面
５０１  図面
５０２  撮像ボタン
５０３  ピンボタン
５０４  写真リスト
５０５  描画操作子
５０６  全景写真ボタン
５０７  過去データボタン
５０８  入力チェックボタン
５０９  前年図面ボタン
６００  写真詳細画面
６０１  写真
６０２  撮影方向操作子
６０３  部位コメント
６０４  劣化コメント
６０５  評価ボタン
６０６  緊急性ボタン
６０７  入力項目選択操作子
６０８  写真ボタン
７００  写真設定画面
７０１  設定ボタン
８００  全景写真画面
８０１  設定ボタン
９００  入力状況チェック画面
９０１  野帳確認ボタン
９０２  点検者
９０３  入力状況リスト
９０４  評価結果
９０５  総合評価
９０６  詳細ボタン
９５０  点検項目詳細画面
１０００  点検システム
１０２０  点検支援装置
１０２１  通信部
１０２２  入力部
１０２３  表示部
１０２４  タッチパネル
１０２５  撮像部
１０２６  記憶部
１０２７  図面記憶部
１０２８  評価項目記憶部
１０２９  点検結果情報記憶部
１０３０  テンプレートファイル記憶部
１０３１  制御部
１０３２  受付部
１０３３  点検結果情報登録部
１０３４  構造物リスト取得部
１０３６  点検結果ファイル生成部
１０３７  検索部
１０３８  表示制御部
１０４１  通信部
１０４２  記憶部
１０４３  制御部
１０５０  ユーザ端末
【図１】
2015225467.tif 000003
【図２】
2015225467.tif 000004
【図３】
2015225467.tif 000005
【図４】
2015225467.tif 000006
【図５】
2015225467.tif 000007
【図６】
2015225467.tif 000008
【図８】
2015225467.tif 000009
【図１１】
2015225467.tif 000010
【図１２】
2015225467.tif 000011
【図１３】
2015225467.tif 000012
【図１５】
2015225467.tif 000013
【図１６】
2015225467.tif 000014
【図１７】
2015225467.tif 000015
【図７】
2015225467.tif 000016
【図９】
2015225467.tif 000017
【図１０】
2015225467.tif 000018
【図１４】
2015225467.tif 000019